(57)【特許請求の範囲】
【請求項１】
水の入水を制御する止水装置と、前記水を加圧するポンプモータと、前記水を加熱するヒータと、前記水の水温検出センサと、所定の温度の洗浄水で人体局部を洗浄するように前記止水装置と前記ポンプモータと前記ヒータを制御する制御装置と、所定温度で動作する水温検出スイッチと、前記止水装置への通電によって動作する第２制御装置とを備え、前記水温検出スイッチが作動すると前記止水装置への通電が停止し、かつ前記第２制御装置への通電が停止して前記ポンプモータが停止する構成とした衛生洗浄装置。
【請求項２】
水の入水を制御する止水装置と、前記水を加熱するヒータと、前記水の水温検出センサと、所定の温度の洗浄水で人体局部を洗浄するように前記止水装置と前記ヒータを制御する制御装置と、所定温度で動作する水温検出スイッチと、前記止水装置への通電によって動作する第２制御装置とを備え、前記水温検出スイッチが作動すると前記止水装置への通電が停止し、かつ前記第２制御装置への通電が停止して前記ヒータが停止する構成とした衛生洗浄装置。
【発明の詳細な説明】
【０００１】
【発明の属する技術分野】
本発明は衛生洗浄装置に関するもので、特に制御装置の故障時における安全装置に関するものである。
【０００２】
【従来の技術】
従来の衛生洗浄装置を図３，図４，図６に基づいて説明する。
【０００３】
図３は衛生洗浄装置の外観図で、１は衛生洗浄装置本体、２は便器、３は便器２上に設置された便座である。
【０００４】
図４は衛生洗浄装置の水路ブロック図で、衛生洗浄装置本体１に内蔵されたタンク４には、満たされた水を温水にするヒータ５と、温水温度を検出するサーミスタ６と、水温が高温になるとスイッチが切れる動作をする水温検出スイッチ７が組み込まれている。人体局部を洗浄するときは、止水電磁弁８を開いて水道水を衛生洗浄装置本体１内へ入れ、ポンプモータ９を動作させて加圧し、水をタンク４内に注入すると、タンク４内の温水が外へ放出され、洗浄水となる。
【０００５】
図６は、従来の衛生洗浄装置の制御装置の部分回路図である。１０はマイコンで、入力１０ａには洗浄スイッチ１１と抵抗１２が、入力１０ｂにはサーミスタ６と抵抗１３が接続されている。マイコン１０の出力１０ｃとＤＣ電源１４との間には水温検出スイッチ７と止水電磁弁８とトランジスタ１５が接続され、マイコン１０の出力１０ｄとＡＣ電源１６との間にはポンプモータ９とトライアック１７とトランジスタ１８が接続され、マイコン１０の出力１０ｅとＡＣ電源１６との間にはヒータ５とトライアック１９とトランジスタ２０が接続されている。
【０００６】
以下に従来の衛生洗浄装置の動作について説明する。衛生洗浄装置にＡＣ電源１６が通電されると、ＤＣ電源１４がマイコン１０に供給され、動作を開始する。マイコン１０は、入力である１０ａ，１０ｂに応じて出力１０ｃ，１０ｄ，１０ｅを制御するように動作する。衛生洗浄装置は、いつでも温水による洗浄が出来るように、タンク４内に温水を用意している。このため、温水が冷えるとヒータ５をＯＮさせて加熱し、暖まるとヒータ５をＯＦＦさせる、という動作をマイコン１０は常時行っている。タンク４内の温水温度は、サーミスタ６の温度に対する抵抗値の変化を、抵抗１３との分圧回路によって電圧の変化に変換することで、マイコン１０の入力１０ｂに入力している。マイコン１０は、入力された電圧値をＡＤ変換してデジタル値にし、温度に変換する。こうして得られたタンク４内の温度と、あらかじめ設定された洗浄に快適な設定温度Ａとを比較し、設定温度Ａより温水温度が低ければヒータ５をＯＮし、設定温度Ａより温水温度が高ければヒータ５をＯＦＦするように、マイコン１０は出力１０ｅから信号を出す。ヒータ５をＯＮするには、出力１０ｅにＨｉを出力してトランジスタ２０をＯＮさせ、トライアック１９のゲートに電流を流してトライアック１９をＯＮさせる。ヒータ５をＯＦＦするには出力１１ｅにＬｏを出力し、トランジスタ２０をＯＦＦさせてトライアック１９のゲート電流をＯＦＦして、トライアック１９をＯＦＦさせる。衛生洗浄装置が使用されていないときは、入力１０ａは抵抗１２によりプルダウンされているのでＬｏである。この時、マイコン１０の出力１０ｃ及び１０ｄはＬｏを出力し、トランジスタ１５及び１８はＯＦＦとなり、止水電磁弁８が閉じ、ポンプモータ９が停止しているので、洗浄水は出ない。洗浄を行うために洗浄スイッチ１１を押すと、マイコン１０の入力１０ａがＨｉになる。するとマイコン１０は、まず出力１０ｃをＨｉにしてトランジスタ１５をＯＮさせる。水温検出スイッチ７は、設定温度Ｂ以下ではＯＮ、設定温度Ｂ以上ではＯＦＦするようになっており、通常の使用ではＯＦＦしないように、前記設定温度Ａより高い値に決められている。従ってトランジスタ１５がＯＮすれば止水電磁弁８に通電され止水電磁弁８が開き、水道水が入水される。そして、出力１０ｄをＨｉにしてトランジスタ１８をＯＮさせてトライアック１７のゲート電流を流すことでトライアック１７がＯＮし、ポンプモータ９に通電されて、ポンプモータ９が回転して水道水を加圧して、タンク４へ送ることで、洗浄水をタンク４から放出させる。
【０００７】
洗浄の終了は、洗浄スイッチ１２をもう一度押す。するとマイコン１１の出力１１ｃと１１ｄはＬｏになり、トランジスタ１５がＯＦＦして止水電磁弁８が閉じ、トランジスタ１８がＯＦＦしてトライアック１７がＯＦＦしてポンプモータ９が停止するので、洗浄水も停止する。
【０００８】
【発明が解決しようとする課題】
しかしながら上記のような従来の構成では、マイコン１０またはサーミスタ６またはトランジスタ２０またはトライアック１９の故障により、ヒータ５の制御が異常となってタンク４内の水温が高温となった場合、水温検出スイッチ７が作動してＯＦＦとなり止水電磁弁８はＯＦＦとなるが、ヒータ５はＯＮしたままなのでさらにタンク４内の水温はさらに上がり、このときポンプモータ９がＯＦＦせず回り続けるので、止水電磁弁８が閉じていても止水電磁弁８とポンプモータ９の間の配管の残水がタンク４へ押し出されるので、高温の洗浄水が出る恐れがあった。
【０００９】
本発明は、上記従来の課題を解決するもので、温度制御装置が異常となってタンク内の温度が異常に上昇した時点で水温検出スイッチにより止水電磁弁を閉じるのと同時に、温度制御回路と別系統の制御回路でポンプモータも止める様にして、高温の洗浄水が出ないようにする事を第１の目的とし、温度制御装置が異常となってタンク内の温度が異常に上昇した時点で水温検出スイッチにより止水電磁弁を閉じるのと同時に、温度制御回路と別系統の制御回路でヒータへの通電を切って、高温の洗浄水が出ないようにする事を第２の目的とする。
【００１０】
【課題を解決するための手段】
本発明の衛生洗浄装置は、上記従来の課題を解決するために、水を加熱するヒータの制御装置が故障して、タンク内の水温が異常に上昇した場合に、水温検出スイッチがＯＦＦして止水装置をＯＦＦさせて水の供給を止め、同時に第２制御装置が前記止水装置を監視しており止水装置が止まると前記ポンプモータあるいは前記ヒータがＯＦＦする構成としたものである。
【００１１】
これにより、制御装置が異常のときに第２制御装置でバックアップすることが出来るので、信頼性の高い衛生洗浄装置を提供することが出来る。
【００１２】
【発明の実施の形態】
本発明の請求項１に記載の発明は、水の入水を制御する止水装置と、前記水を加圧するポンプモータと、前記水を加熱するヒータと、前記水の水温検出センサと、所定の温度の洗浄水で人体局部を洗浄するように前記止水装置と前記ポンプモータと前記ヒータを制御する制御装置と、所定温度で動作する水温検出スイッチと、前記止水装置への通電によって動作する第２制御装置とを備え、前記水温検出スイッチが作動すると前記止水装置への通電が停止し、かつ前記第２制御装置への通電が停止して前記ポンプモータが停止する構成としたものであり、これによれば、制御装置が故障して水温が上昇すると止水装置を閉じるのと同時に、ポンプモータが停止して洗浄水の放出を停止させることが出来る。
【００１３】
本発明の請求項２に記載の発明は、水の入水を制御する止水装置と、前記水を加熱するヒータと、前記水の水温検出センサと、所定の温度の洗浄水で人体局部を洗浄するように前記止水装置と前記ヒータを制御する制御装置と、所定温度で動作する水温検出スイッチと、前記止水装置への通電によって動作する第２制御装置とを備え、前記水温検出スイッチが作動すると前記止水装置への通電が停止し、かつ前記第２制御装置への通電が停止して前記ヒータが停止する構成としたものであり、これによれば、温度制御装置が故障して水温が設定値以上に上昇すると止水装置を閉じるのと同時に、ヒータが切れるので、高温の洗浄水を噴出の防止と共に、それ以上に水温が上がらないようにすることが出来る。
【００１４】
【実施例】
以下本発明の実施例について、図面に基づいて説明する。
【００１５】
なお、従来例と同一の構成のものは同一符号を用い、同一作用、効果を有する。
【００１６】
図１は、本発明の第一実施例である衛生洗浄装置の制御装置の部分回路図である。１０はマイコンで、入力１０ａには洗浄スイッチ１１と抵抗１２が、入力１０ｂにはサーミスタ６と抵抗１３が接続されている。マイコン１０の出力１０ｃとＤＣ電源１４との間には水温検出スイッチ７と止水電磁弁８とトランジスタ１５が接続され、マイコン１０の出力１０ｄとＡＣ電源１６との間にはポンプモータ９とトライアック１７とトランジスタ１８が接続され、マイコン１０の出力１０ｅとＡＣ電源１６との間にはヒータ５とトライアック１９とトランジスタ２０が接続されている。止水電磁弁８の両端にはリレー２１のコイルが接続され、その接点はトライアック１７に接続されている。
【００１７】
以下に本発明の第一実施例である衛生洗浄装置の動作について説明する。衛生洗浄装置にＡＣ電源１６が通電されると、ＤＣ電源１４がマイコン１０に供給され、動作を開始する。マイコン１０は、入力である１０ａ，１０ｂに応じて出力１０ｃ，１０ｄ，１０ｅを制御するように動作する。衛生洗浄装置は、いつでも温水による洗浄が出来るように、タンク４内に温水を用意している。このため、温水が冷えるとヒータ５をＯＮさせて加熱し、暖まるとヒータ５をＯＦＦさせる、という動作をマイコン１０は常時行っている。タンク４内の温水温度は、サーミスタ６の温度に対する抵抗値の変化を、抵抗１３との分圧回路によって電圧の変化に変換することで、マイコン１０の入力１０ｂに入力している。マイコン１０は、入力された電圧値をＡＤ変換してデジタル値にし、温度に変換する。こうして得られたタンク４内の温度と、あらかじめ設定された洗浄に快適な設定温度Ａとを比較し、設定温度Ａより温水温度が低ければヒータ５をＯＮし、設定温度Ａより温水温度が高ければヒータ５をＯＦＦするように、マイコン１０は出力１０ｅから信号を出す。ヒータ５をＯＮするには、出力１０ｅにＨｉを出力してトランジスタ２０をＯＮさせ、トライアック１９のゲートに電流を流してトライアック１９をＯＮさせる。ヒータ５をＯＦＦするには出力１１ｅにＬｏを出力し、トランジスタ２０をＯＦＦさせてトライアック１９のゲート電流をＯＦＦして、トライアック１９をＯＦＦさせる。衛生洗浄装置が使用されていないときは、入力１０ａは抵抗１２によりプルダウンされているのでＬｏである。この時、マイコン１０の出力１０ｃ及び１０ｄはＬｏを出力し、トランジスタ１５及び１８はＯＦＦとなり、止水電磁弁８が閉じ、ポンプモータ９が停止しているので、洗浄水は出ない。洗浄を行うために洗浄スイッチ１１を押すと、マイコン１０の入力１０ａがＨｉになる。するとマイコン１０は、まず出力１０ｃをＨｉにしてトランジスタ１５をＯＮさせる。水温検出スイッチ７は、設定温度Ｂ以下ではＯＮ、設定温度Ｂ以上ではＯＦＦするようになっており、通常の使用ではＯＦＦしないように、前記設定温度Ａより高い値に決められている。従ってトランジスタ１５がＯＮすれば止水電磁弁８に通電され止水電磁弁８が開き、水道水が入水される。そして、出力１０ｄをＨｉにしてトランジスタ１８をＯＮさせてトライアック１７のゲート電流を流すことでトライアック１７がＯＮし、ポンプモータ９に通電されて、ポンプモータ９が回転して水道水を加圧して、タンク４へ送ることで、洗浄水をタンク４から放出させる。
【００１８】
洗浄の終了は、洗浄スイッチ１２をもう一度押す。するとマイコン１１の出力１１ｃと１１ｄはＬｏになり、トランジスタ１５がＯＦＦして止水電磁弁８が閉じ、トランジスタ１８がＯＦＦしてトライアック１７がＯＦＦしてポンプモータ９が停止するので、洗浄水も停止する。
【００１９】
マイコン１０またはサーミスタ６またはトランジスタ２０またはトライアック１９の故障により、ヒータ５の制御が異常となってタンク４内の水温が高温となった場合、水温検出スイッチ７がＯＦＦとなって止水電磁弁８がＯＦＦするのと同時に、リレー２１のコイルへの通電もＯＦＦするので、リレー２１の接点が開き、ポンプモータ９がＯＦＦする。止水電磁弁８が閉じ、ポンプモータ９も停止しているのでタンク５へは水が供給されず、従って高温の洗浄水が出ることを防止出来る。
【００２０】
次に、本発明の第二実施例である衛生洗浄装置について、説明する。
【００２１】
図５は本発明の第二実施例である衛生洗浄装置の水路ブロック図で、タンク４には、満たされた水を温水にするヒータ５と、温水温度を検出するサーミスタ６と、水温が高温になるとスイッチが切れる動作をする水温検出スイッチ７が組み込まれている。人体局部を洗浄するときは、止水電磁弁８を開いて水道水を本体１内へ入れ、水をタンク４内に注入すると、タンク４内の温水が外へ放出され、洗浄水となる。
【００２２】
図２は、本発明の第二実施例である衛生洗浄装置の制御装置の部分回路図である。１０はマイコンで、入力１０ａには洗浄スイッチ１１と抵抗１２が、入力１０ｂにはサーミスタ６と抵抗１３が接続されている。マイコン１０の出力１０ｃとＤＣ電源１４との間には水温検出スイッチ７と止水電磁弁８とトランジスタ１５が接続され、マイコン１０の出力１０ｅとＡＣ電源１６との間にはヒータ５とトライアック１９とトランジスタ２０が接続されている。止水電磁弁８の両端にはリレー２１のコイルが接続され、その接点はトライアック１９に接続されている。
【００２３】
以下に本発明の第二実施例である衛生洗浄装置の動作について説明する。衛生洗浄装置にＡＣ電源１６が通電されると、ＤＣ電源１４がマイコン１０に供給され、動作を開始する。マイコン１０は、入力である１０ａ，１０ｂに応じて出力１０ｃ，１０ｅを制御するように動作する。衛生洗浄装置は、いつでも温水による洗浄が出来るように、タンク４内に温水を用意している。このため、温水が冷えるとヒータ５をＯＮさせて加熱し、暖まるとヒータ５をＯＦＦさせる、という動作をマイコン１０は常時行っている。タンク４内の温水温度は、サーミスタ６の温度に対する抵抗値の変化を、抵抗１３との分圧回路によって電圧の変化に変換することで、マイコン１０の入力１０ｂに入力している。マイコン１０は、入力された電圧値をＡＤ変換してデジタル値にし、温度に変換する。こうして得られたタンク４内の温度と、あらかじめ設定された洗浄に快適な設定温度Ａとを比較し、設定温度Ａより温水温度が低ければヒータ５をＯＮし、設定温度Ａより温水温度が高ければヒータ５をＯＦＦするように、マイコン１０は出力１０ｅから信号を出す。ヒータ５をＯＮするには、出力１０ｅにＨｉを出力してトランジスタ２０をＯＮさせ、トライアック１９のゲートに電流を流してトライアック１９をＯＮさせる。ヒータ５をＯＦＦするには出力１１ｅにＬｏを出力し、トランジスタ２０をＯＦＦさせてトライアック１９のゲート電流をＯＦＦして、トライアック１９をＯＦＦさせる。衛生洗浄装置が使用されているいときは、入力１０ａは抵抗１２によりプルダウンされているのでＬｏである。この時、マイコン１０の出力１０ｃはＬｏを出力し、トランジスタ１５はＯＦＦとなり、止水電磁弁８が閉じているので、洗浄水は出ない。洗浄を行うために洗浄スイッチ１１を押すと、マイコン１０の入力１０ａがＨｉになる。するとマイコン１０は、出力１０ｃをＨｉにしてトランジスタ１５をＯＮさせる。水温検出スイッチ７は、設定温度Ｂ以下ではＯＮ、設定温度Ｂ以上ではＯＦＦするようになっており、通常の使用ではＯＦＦしないように、前記設定温度Ａより高い値に決められている。従ってトランジスタ１５がＯＮすれば止水電磁弁８に通電され止水電磁弁８が開いて水道水が入水され、タンク４へ送ることで、洗浄水をタンク４から放出させる。
【００２４】
洗浄の終了は、洗浄スイッチ１２をもう一度押す。するとマイコン１１の出力１１ｃと１１ｄはＬｏになり、トランジスタ１５がＯＦＦして止水電磁弁８が閉じ、洗浄水が停止する。
【００２５】
マイコン１０またはサーミスタ６またはトランジスタ２０またはトライアック１９の故障により、ヒータ５の制御が異常となってタンク４内の水温が高温となった場合、水温検出スイッチ７がＯＦＦとなって止水電磁弁８がＯＦＦする。止水電磁弁８がＯＦＦするのでタンク４からは洗浄水がでることはない。そして、止水電磁弁８がＯＦＦすると、リレー２１のコイルへの通電もＯＦＦするので、リレー２１の接点が開き、ヒータ５がＯＦＦする。ヒータ５がＯＦＦするのでタンク４内の水温は、水温検出スイッチ７がＯＦＦする設定温度Ｂ以上にはならないので、タンク４内の水が沸騰して高温の蒸気となって噴出する事も防止することが出来る。
【００２６】
【発明の効果】
以上のように、本発明の衛生洗浄装置は、洗浄水の温度制御が異常となると、水温検出スイッチで止水電磁弁をＯＦＦし、同時にリレーをＯＦＦさせてポンプモータをＯＦＦさせるので、タンクへの水の供給を完全に止めるので、高温の洗浄水を噴出する事を防止することが出来、使用者の火傷の心配の無い、安全性の高い温水洗浄装置を提供することが出来る。
【００２７】
また、洗浄水の温度制御が異常となると、水温検出スイッチで止水電磁弁をＯＦＦし、同時にリレーをＯＦＦさせてヒータもＯＦＦさせるものは、高温の洗浄水を噴出の防止と共に、タンク内の水が沸騰して高温の蒸気が噴出することも防ぐことが出来るので、さらに安全で信頼性の高い温水洗浄装置を提供することが出来る。
【図面の簡単な説明】
【図１】  本発明の第一実施例における衛生洗浄装置の部分回路図
【図２】  本発明の第二実施例における衛生洗浄装置の部分回路図
【図３】  従来の衛生洗浄装置の外観図
【図４】  従来の衛生洗浄装置の水路ブロック図
【図５】  本発明の第二実施例における衛生洗浄装置の水路ブロック図
【図６】  従来の衛生洗浄装置の部分回路図
【符号の説明】
５  ヒータ
７  水温検出スイッチ
８  止水電磁弁
９  ポンプモータ
１０  マイコン
２１  リレー
【図１】
0004174848.tif 000002
【図２】
0004174848.tif 000003
【図３】
0004174848.tif 000004
【図４】
0004174848.tif 000005
【図５】
0004174848.tif 000006
【図６】
0004174848.tif 000007